(57)【要約】      （修正有）【課題】簡単な構成で半導体レーザー等からの不要輻射や、光ディスクに記録、または再生するための信号へ重畳されるノイズを低減でき、光ピックアップの製造作業性がよく、かつ安価、小型薄型が図れた光ピックアップを提供する。【解決手段】光ピックアップ１０に、板状の金属材料によって一体に形成したシールドカバー２を設け、該シールドカバー２には光学ベース１との嵌合や締結する形状を備えるとともに、光ピックアップ１０に固定され、光ディスクに記録、または再生するための信号を入出力する電気回路の配線導体が形成されているフレキシブル基板５を固定する形状を備え、該フレキシブル基板５のアースを半田７によって接合固定する。【選択図】図１
2011086336.tif 000002
【特許請求の範囲】
【請求項１】
光ディスクに記録、または再生するために複数の波長に対応した光学系からなる光ピックアップにおいて、前記光ピックアップを覆う導電性を持つ筐体と、前記光ピックアップの信号を入出力するフレキシブル基板と、光ディスクドライブ装置と接続されるコネクタと、前記筐体は前記コネクタの両端を固定するコネクタ固定手段を備え、前記フレキシブル基板のアースは、前記筐体と電気的に接続され、導電性を持つことを特徴とする光ピックアップ。
【請求項２】
前記コネクタ固定手段は、前記コネクタ方向に内側に折り曲げられ、前記折り曲げられたコネクタ固定手段の外側部を半田付けすることにより、前記コネクタ固定手段と前記コネクタとを導電させたことを特徴とする前記請求項１に記載の光ピックアップ。
【請求項３】
前記コネクタ部の高さを、前記光ピックアップ制御回路を覆う導電性を持つ筐体の形状によって、自由に設定可能な請求項１と２に記載の光ピックアップ。
【発明の詳細な説明】
【技術分野】
【０００１】
本発明は光ディスクに信号を記録、または再生するために使われる光ピックアップに関し、光ピックアップに搭載される半導体レーザー等からの不要輻射や、光ディスクに記録、または再生するための信号へ重畳されるノイズの低減を図るとともに、安価、かつ小型薄型を図る技術分野に関する。
【背景技術】
【０００２】
従来光ディスクに信号を記録、または再生するために使われる小型薄型光ピックアップに関しての従来技術は、例えば、特開２００６−１２２６１号公報（特許文献１）および特開２００７−１５７２９５号公報（特許文献２）に記されている。
特許文献１には、発光素子及び該発光素子を駆動するドライバからの輻射を遮蔽するとともに、板状の金属材料によって一体に形成したシールドカバーを設け、光学ベースまたは、光学ベースの周縁部に配置された光学部品の形状に沿った形状にすることで、輻射の遮蔽を効率的に行うとともに小型薄型化を図ることが示されている。
また、特許文献２には、光ディスクに記録、または再生するための信号を入出力する電気回路の配線導体が複数層で形成された光ピックアップに固定されている第１のフレキシブル基板と、光ディスクの内外周の移動のために屈曲性能を重視した１層で形成された第２のフレキシブル基板とを配線導体表面の半田メッキを溶融させることによって接合しているが、その接続部において、少なくとも一方のフレキシブル基板のベースフィルムの端面を配線導体の端面より外側に延長し、小型薄型化を図ることが示されている。
【先行技術文献】
【特許文献】
【０００３】
【特許文献１】特開２００６−１２２６１号公報
【特許文献２】特開２００７−１５７２９５号公報
【発明の概要】
【発明が解決しようとする課題】
【０００４】
しかしながら、特許文献１に開示の構成では、シールドカバーと光学ベースの寸法のバラツキや、製造上のバラツキによって、シールドカバーの嵌合突部と光学ベースの支持孔の嵌合部に接触抵抗が生じる。その影響によって、光ピックアップのアースが不安定となり、不要輻射や光ディスクに記録、または再生させるための信号を悪化させることが生じる。さらには、半導体レーザーを高周波電流にて駆動し発光させる信号や、光ディスクに記録、または再生するための信号を入出力する電気回路のアースがシールドカバーと直接接触していないために、光ピックアップのアースが不安定で、インピーダンスが増加する。ことのことにより、半導体レーザーを駆動する高周波電流から発生される電波が、光ピックアップのアースに吸収されにくくなるので、不要輻射の悪化、さらには、光ピックアップを記録、または再生するための信号特性を悪化させる。
また、特許文献２に開示の構成では、光ピックアップに固定されている第１のフレキシブル基板と、第２のフレキシブル基板とを半田メッキを溶融させ接合するときに、半田メッキの厚みのバラツキや溶融温度の制御ミス等があると、接合不良や隣接した配線とのショートが生じる。
【課題を解決するための手段】
【０００５】
上記従来課題を解決するために、本発明に係る光ピックアップは、板状の金属材料によって一体に形成したシールドカバーを設け、該シールドカバーには光学ベースとの嵌合や締結する形状を備えるとともに、光ピックアップに固定されている第１のフレキシブル基板を固定する形状を備え、該フレキシブル基板のアースを半田付けによって接合固定する。
【０００６】
また、前記第１のフレキシブル基板と、光ディスクの内外周の移動のために屈曲性能を重視した１層で形成された第２のフレキシブル基板との接続のため、第１のフレキシブル基板にコネクタが実装されている。
【発明の効果】
【０００７】
本発明によれば、簡単な構成で半導体レーザー等からの不要輻射や、光ディスクに記録、または再生するための信号へ重畳されるノイズの低減でき、光ピックアップの製造作業性がよく、かつ安価、小型薄型が図れた光ピックアップを提供することができる。
【図面の簡単な説明】
【０００８】
【図１】本発明に係る光ピックアップの斜視図
【図２】シールドカバーを分離して示す光ピックアップの拡大斜視図
【図３】シールドカバーとフレキシブル基板のアース部の半田接合固定部の拡大斜視図
【図４】フレキシブル基板をシールドケース２に組み立てる際の説明図である。
【図５】光ピックアップを光ディスク装置に組み込んだ状態を示す図
【図６】コネクタ取り付け部に絞りを追加したシールドカバー２の斜視図
【発明を実施するための形態】
【０００９】
以下、本発明に係る光ピックアップの実施の形態について、図面を参照して詳細に説明する。
（実施の形態１）
図１は、本発明に係る光ピックアップの斜視図であり、板状の半田濡れ性の良好なメッキが施された金属材料によって一体に形成されたシールドカバー２を有する。図２は、シールドカバー２を分離して示す光ピックアップの拡大斜視図である。
光ディスクに記録、または再生するために複数の波長に対応した光学系を搭載した光学ベース１には、図示しない支持爪やネジ穴が設けられており、シールドカバー２に設けられた支持孔３やネジ４で締結されている。また、光ピックアップには、光ディスクに記録、または再生するための信号を入出力する電気回路の配線導体が形成されているフレキシブル基板５を有し、前記フレキシブル基板５にはコネクタ６が実装されている。前記フレキシブル基板５に実装されたコネクタ６の両端には、導体が露出したアースの配線５−ａ、５−ｂ部が施されており、前記アースの配線はシールドカバー２の２−ａ、２−ｂ部と半田７によって接合固定されている。
支持孔３と図示しない支持爪による嵌合や、ネジ４による締結だけでは、部品や作業のバラツキによって接触圧力が一定でなく、さらには、光ディスクに記録、または再生するための信号を入出力する電気回路のアースがシールドカバー２と直接接触していないため、アースが不安定である。しかし、図１に示す半田によって接合固定する構成をとることにより、フレキシブル基板５と、シールドケース７や光学ベース１のアースが安定的に強化され、インピーダンスの低下が図られる。このことにより、半導体レーザーを高周波電流にて駆動することによって発生する電波がアースに吸収されやすくなり、不要輻射を低減することができる。さらには、光ピックアップを記録、または再生するための信号のノイズ低減を実現することができる。
（実施の形態２）
図３（ａ）、（ｂ）は、前記実施の形態１において、シールドカバー２とフレキシブル基板５を半田７によって接合固定する作業を示す。シールドカバー２の半田固定部２−ａ、２−ｂは、それぞれコネクタが実装されている方向に曲げられている。コネクタ６は、一般的にプラスチックで成型されており、半田作業時に高温に熱せられた半田ゴテ８が誤ってコネクタ６に接触し、溶融し破損することを防ぐことができる。
図４は、フレキシブル基板５をシールドケース２に組み立てる際の説明図である。シールドケース２には、フレキシブル基板の厚みと同じか、若干大きい隙間９が空いており、フレキシブル基板を矢印１０方向に挿入することで、容易に組立が可能で、かつコネクタ６の正確な位置決めが可能である。
（実施の形態３）
図５（ａ）は、前記実施の形態１、あるいは２の光ピックアップ１０を光ディスク装置１５に組み込んだ状態を示す図であり、光ピックアップ１０は光ディスク１１の内周部に記録、または再生している状態を示している。光ディスク１１の内周部に記録、または再生しているときに、光ピックアップ１０と光ディスク装置１５を制御する基板１３とを接続するフレキシブル基板５は、屈曲Ｒ１４を生じる。前記屈曲Ｒ１４は、フレキシブル基板５が光ディスク１１に接触するのを回避するためと、光ピック１０が内外周方向に往復動作を繰り返してもフレキシブル基板５が断線しないようにするため、屈曲Ｒ１４をフレキシブル基板５の特性に応じて、大きくとる必要がある。よって、光ピックアップ１０と光ディスク装置１５を制御する基板１３の距離を離す必要があり、光ディスク装置１５の高さが厚くなる。
【００１０】
図６は、コネクタ取り付け部２−ｃに絞りを追加したシールドカバー２を示す図である。図６に示すコネクタ取り付け部２−ｃの絞りの高さを変えることで、フレキシブル基板５と光ピックアップ１０を接続する高さを容易に変えることが可能である。図６は、絞りで示しているが、折り曲げ等の形状でコネクタ取り付け部２−ｃの高さを変えてもよい。
図５（ｂ）は、図６に示すシールドカバー２を取り付けた光ピックアップ１０を光ディスクドライブ１５に組み込んだ状態を示す図である。フレキシブル基板５と光ピックアップ１０を接続する位置が、屈曲Ｒ１４の大きさは変えずに、光ピックアップ１０と光ディスク装置１５を制御する基板１３の距離を縮めることが可能で、ドライブ装置１５の薄型化が図れる。
また、屈曲Ｒ１４の大きさは、フレキシブル基板５のヤング率に依存し、光ピックアップ１０の内外周方向に往復動作によるフレキシブル基板５の断線は、フレキシブル基板５の材質に依存する。フレキシブル基板５の前記特性に応じて、図６にコネクタ取り付け部２−ｃの高さを変えることで、屈曲Ｒ１４の大きさを容易に変えることが可能で、光ピックアップ１０の内外周の往復動作に対して、光ディスクドライブ１５の高い信頼性が実現できる。
【産業上の利用可能性】
【００１１】
以上のように、本発明に係る光ピックアップは、簡単な構成で半導体レーザー等からの不要輻射や、光ディスクに記録、または再生するための信号へ重畳されるノイズの低減でき、光ピックアップの製造作業性がよく、かつ安価、薄型、高い信頼性が図れた光ピックアップ、ならびに光ディスクドライブを提供することができる。
【符号の説明】
【００１２】
１    光学ベース
２    シールドカバー
３    支持孔
４    ネジ
５    フレキシブル基板
６    コネクタ
７    半田
８    半田ゴテ
９    シールドケース２に設けられたフレキシブル基板の厚み分の隙間
１０    光ピックアップ
１１    光ディスク
１２    ディスクモータ
１３    光ディスクドライブを制御する基板
１４    フレキシブル基板に生じる屈曲Ｒ
１５    光ディスク装置
【図１】
2011086336.tif 000003
【図２】
2011086336.tif 000004
【図３】
2011086336.tif 000005
【図４】
2011086336.tif 000006
【図５】
2011086336.tif 000007
【図６】
2011086336.tif 000008